(57)【要約】【課題】手で握った部分がすべりやすく蓋部を開けにくかったり、容器を落としてしまう可能性がない容器を提供する【解決手段】容器１０は、液体または固体を収容する容器であって、第１の位置Ａでの水平断面である第１断面形状と、第２の位置Ｂでの水平断面である第２断面形状と、を有し、第１の位置Ａ及び第２の位置Ｂは、液体または固体を収容した状態では、その断面内に液体または固体が含まれる範囲であり、第１断面形状及び第２断面形状は歪みを有した円筒形状であり、第１断面形状と第２断面形状は、異なる形状の歪みを有している。【選択図】図１
0003193276.tif 000002
【実用新案登録請求の範囲】
【請求項１】
液体または固体を収容する容器であって、
第１の位置での水平断面である第１断面形状と、
第２の位置での水平断面である第２断面形状と、を有し、
前記第１の位置及び前記第２の位置は、液体または固体を収容した状態では、その断面内に液体または固体が含まれる範囲であり、
第１断面形状及び第２断面形状は歪みを有した円筒形状であり、
第１断面形状と第２断面形状は、異なる形状の歪みを有している
容器。
【請求項２】
第１断面形状は、上下非対称かつ左右非対称であり、
第２断面形状は、上下非対称かつ左右非対称である
請求項１に記載の容器。
【請求項３】
第１断面形状と、第２断面形状とは、非相似形状である
請求項２に記載の容器。
【請求項４】
人間の肌に対して使用される液体または固体を収容する
請求項３に記載の容器。
【請求項５】
液体または固体が収容される収納部と、
蓋の機能を有する蓋部と、を有し、
前記蓋部における蓋部断面と、
前記収納部における収納部断面と、を有し、
収納部断面及び蓋部断面は、水平方向の断面が上下非対称かつ左右非対称であり、
蓋部は、ユーザによって前記収納部から分離可能である
請求項４に記載の容器。
【考案の詳細な説明】
【技術分野】
【０００１】
本考案は、容器に関し、特に、手で持ったときに滑り落ちにくいように形成されている美容液、クレンジング、化粧水等の液体、石鹸等の固体を収容する容器に関するものである。
【背景技術】
【０００２】
従来、特許文献１に開示されるような容器がある。従来形の化粧水用容器は、管状円筒部と蓋部とからで構成されている。管状円筒部は、その上端部の外側に雄ねじ部と、更にこのねじ部の上部上方に伸長している液出入り口の付いた容器口部とが形成されている。蓋部の内側には、その下方部の周面に雌ねじ部と、その上方部表面から下方に伸長している半球状の連結突出部とが形成されている。
【０００３】
実際に使用する場合、まず、化粧水容器の管状円筒部に１種類の化粧水を詰めて収容してから、蓋部の雌ねじ部と管状円筒部の雄ねじ部とを相互に螺合すると、連結突出部が容器口部の液出入り口に正確に接合するようになる。化粧水を出す際には、片方の手で化粧水容器の管状円筒部を握り、もう一方の手で蓋部を握って回転させることによりねじを回し蓋部を管状円筒部から取り外し、管状円筒部を握った手で容器を傾けて容器口部を下方にすることにより、化粧水を手にたらすように使用する。
【先行技術文献】
【特許文献】
【０００４】
【特許文献１】登録実用新案第３１２０７６８号
【考案の概要】
【考案が解決しようとする課題】
【０００５】
従来の容器では、化粧水を出す際には、片方の手で化粧水容器の管状円筒部を握り、もう一方の手で蓋部を握って回転させることによりねじを回し蓋部を管状円筒部から取り外し、管状円筒部を握った手で容器を傾けて容器口部を下方にすることにより、化粧水を手にたらすようするときに、手で握る部分が管状の円筒形状のため、手で握った部分がすべりやすく蓋部を開けにくかったり、容器を落としてしまう可能性があるという問題点があった。
【０００６】
そこで、本考案の目的は、手で握った部分がすべりやすく蓋部を開けにくかったり、容器を落としてしまう可能性が少ない容器を提供することにある。
【課題を解決するための手段】
【０００７】
本考案に係る容器は、上記の目的を達成するために、次のように構成される。
【０００８】
本考案に係る容器は、液体または固体を収容する容器であって、第１の位置での水平断面である第１断面形状と、第２の位置での水平断面である第２断面形状と、を有し、第１の位置及び第２の位置は、液体または固体を収容した状態では、その断面内に液体または固体が含まれる範囲であり、第１断面形状及び第２断面形状は歪みを有した円筒形状であり、第１断面形状と第２断面形状は、異なる形状の歪みを有している。
【０００９】
上記の構成において、好ましくは、第１断面形状は、上下非対称かつ左右非対称であり、第２断面形状は、上下非対称かつ左右非対称である。
【００１０】
上記の構成において、好ましくは、第１断面形状と、第２断面形状とは、非相似形状である。
【００１１】
上記の構成において、好ましくは、人間の肌に対して使用される液体または固体を収容する。
【００１２】
上記の構成において、好ましくは、液体または固体が収容される収納部と、蓋の機能を有する蓋部と、を有し、蓋部における蓋部断面と、収納部における収納部断面と、を有し、収納部断面及び蓋部断面は、水平方向の断面が上下非対称かつ左右非対称であり、蓋部は、ユーザによって収納部から分離可能である。
【考案の効果】
【００１３】
本考案によれば、液体または固体を収容する容器であって、第１の位置での水平断面である第１断面形状と、第２の位置での水平断面である第２断面形状と、を有し、第１の位置及び第２の位置は、液体または固体を収容した状態では、その断面内に液体または固体が含まれる範囲であり、第１断面形状及び第２断面形状は歪みを有した円筒形状であり、第１断面形状と第２断面形状は、異なる形状の歪みを有しているため、手で握った部分がすべりやすく蓋部を開けにくかったり、容器を落としてしまう可能性が少ない容器を提供することができる。
【図面の簡単な説明】
【００１４】
【図１】本考案の第１実施形態に係る容器を示す斜視図である。
【図２】容器の第１の位置Ａでの水平断面である第１断面形状を示す断面図である。
【図３】容器の第２の位置Ｂでの水平断面である第２断面形状を示す断面図である。
【図４】蓋部における位置Ｃでの蓋部断面を示す断面図である。
【図５】化粧水が収容される容器を示す斜視図である。
【図６】クレンジングが収容される容器を示す斜視図である
【図７】本考案の第２実施形態に係る容器を示す斜視図である。
【図８】容器の第１の位置Ｄでの水平断面である第１断面形状を示す断面図である。
【図９】容器４０の第２の位置Ｅでの水平断面である第２断面形状を示す断面図である。
【図１０】蓋部４２における位置Ｆでの蓋部断面を示す断面図である。
【考案を実施するための形態】
【００１５】
図１は、本考案の第１実施形態に係る容器１０を示す斜視図である。ここでは、容器１０として美容液容器を用いて説明する。図１のように、容器１０は、収納部１１と蓋部１２とからで構成されている。収納部１１は、美容液を収容するものである。蓋部１２は、蓋の機能を有している。
【００１６】
収納部１１は、その上端部の外側に雄ねじ部（図示せず）と、更にこのねじ部の上部上方に伸長している液出入り口の付いた容器口部（図示せず）とが形成されている。蓋部１２の内側には、その下方部の周面に雌ねじ部（図示せず）と、その上方部表面から下方に伸長している半球状の連結突出部（図示せず）とが形成されている。
【００１７】
実際に使用する場合、まず、容器１０の収納部１１に１種類の美容液を詰めて収容してから、蓋部１２の雌ねじ部と収納部１１の雄ねじ部とを相互に螺合すると、連結突出部が容器口部の液出入り口に正確に接合するようになる。そして、美容液を出すには、片方の手で容器１０の収納部１１を握り、もう一方の手で蓋部１２を握って回転させることによりねじを回し蓋部１２を収納部１１から取り外し、収納部１１を握った手で容器１０を傾けて容器口部を下方にすることにより、美容液を手にたらすようする。
【００１８】
図２は、容器１０の第１の位置Ａでの水平断面である第１断面形状を示す断面図である。図３は、容器１０の第２の位置Ｂでの水平断面である第２断面形状を示す断面図である。第１の位置Ａ及び第２の位置Ｂは、液体の美容液を収容した状態では、それら断面内に液体である美容液が含まれる範囲である。また、図２と図３に示されるように、第１断面形状及び第２断面形状は、歪みを有した円筒形状であり、第１断面形状と第２断面形状は、異なる形状の歪みを有している。
【００１９】
さらに、第１断面形状は、上下非対称かつ左右非対称であり、第２断面形状は、上下非対称かつ左右非対称である。
【００２０】
また、第１断面形状と、第２断面形状とは、非相似形状である。
【００２１】
上記のように、容器１０は、第１断面形状及び第２断面形状が、歪みを有した円筒形状であり、第１断面形状と第２断面形状が、異なる形状の歪みを有しているので、歪曲な面を有した立体形状となっている。
【００２２】
また、容器１０は、美容液等の人間の肌に対して使用される液体を収容するものである。
【００２３】
図４は、蓋部１２における位置Ｃでの蓋部断面を示す断面図である。また、第１の位置Ａの断面や第２の位置Ｂの断面のような収納部１１における収納部断面及び位置Ｃでの蓋部断面は、水平方向の断面が上下非対称かつ左右非対称であり、蓋部１２は、ユーザによって収納部１１から分離可能である。
【００２４】
容器１０の収納部１１と蓋部１２は、収納部１１と蓋部１２を成形するための金型を工夫することにより製造することができる。
【００２５】
容器１０から美容液を出すには、まず、片方の手で容器１０の収納部１１を握り、もう一方の手で蓋部１２を握って回転させることによりねじを回し蓋部１２を収納部１１から取り外す。このとき、第１の位置Ａの断面や第２の位置Ｂの断面のような収納部１１における収納部断面及び蓋部断面は、水平方向の断面が上下非対称かつ左右非対称であるので、蓋部１２を回転させるときに、手がすべりにくく、容易に蓋部１２を収納部１１から取り外すことができる。
【００２６】
また、収納部１１を握った手で容器１０を傾けて容器口部を下方にすることにより、美容液を手にたらすようにするときに、第１断面形状及び第２断面形状は歪みを有した円筒形状であり、第１断面形状と第２断面形状は、異なる形状の歪みを有しており、好ましくは、第１断面形状は、上下非対称かつ左右非対称であり、第２断面形状は、上下非対称かつ左右非対称であり、好ましくは、第１断面形状と、第２断面形状とは、非相似形状であるために、収納部１１を握った手がすべりにくく容器１０の収納部１１を落としてしまう可能性が少なくなる。また、容器１０は、上記のような第１断面形状と、第２断面形状を有しているため、手にフィットし、自然な感じをユーザに与えることができる。
【００２７】
また、図５は、化粧水が収容される容器２０を示す斜視図であり、図６はクレンジングが収容される容器３０を示す斜視図である。容器２０、容器３０いずれも第１の位置Ａの第１断面形状及び第２の位置Ｂの第２断面形状は、歪みを有した円筒形状であり、第１断面形状と第２断面形状は、異なる形状の歪みを有している。
【００２８】
さらに、第１断面形状は、上下非対称かつ左右非対称であり、第２断面形状は、上下非対称かつ左右非対称である。
【００２９】
また、第１断面形状と、第２断面形状とは、非相似形状である。
【００３０】
上記のように、容器２０と容器３０は、第１断面形状及び第２断面形状が、歪みを有した円筒形状であり、第１断面形状と第２断面形状が、異なる形状の歪みを有しているので、歪曲な面を有した立体形状となっている。
【００３１】
さらに、容器２０，３０は、それぞれ化粧水、クレンジングの人間の肌に対して使用される液体を収容するものである。
【００３２】
また、容器２０では、第１の位置Ａの断面や第２の位置Ｂの断面のような収納部２１における収納部断面及び位置Ｃでの蓋部断面は、水平方向の断面が上下非対称かつ左右非対称であり、蓋部２２は、ユーザによって収納部２１から分離可能である。
【００３３】
容器２０、３０の収納部と蓋部は、収納部と蓋部を成形するための金型を工夫することにより製造することができる。
【００３４】
容器２０から化粧水を出すには、まず、片方の手で容器２０の収納部２１を握り、もう一方の手で蓋部２２を握って回転させることによりねじを回し蓋部２２を収納部２１から取り外す。このとき、第１の位置Ａの断面や第２の位置Ｂの断面のような収納部２１における収納部断面及び位置Ｃでの蓋部断面は、水平方向の断面が上下非対称かつ左右非対称であるので、蓋部２２を回転させるときに、手がすべりにくく、容易に蓋部２２を収納部２１から取り外すことができる。
【００３５】
また、収納部２１を握った手で容器２０を傾けて容器口部を下方にすることにより、化粧水を手にたらすようにするときに、第１断面形状及び第２断面形状は歪みを有した円筒形状であり、第１断面形状と第２断面形状は、異なる形状の歪みを有しており、好ましくは、第１断面形状は、上下非対称かつ左右非対称であり、第２断面形状は、上下非対称かつ左右非対称であり、好ましくは、第１断面形状と、第２断面形状とは、非相似形状であるために、収納部２１を握った手がすべりにくく容器２０の収納部２１を落としてしまう可能性が少なくなる。また、容器２０は、上記のような第１断面形状と、第２断面形状を有しているため、手にフィットし、自然な感じをユーザに与えることができる。
【００３６】
また、容器３０からクレンジングを出すには、まず、片方の手で容器３０の収納部３１を握り、もう一方の手で押し部３２を押すことにより、クレンジングを手にたらすようにする。そのとき、第１断面形状及び第２断面形状は歪みを有した円筒形状であり、第１断面形状と第２断面形状は、異なる形状の歪みを有しており、好ましくは、第１断面形状は、上下非対称かつ左右非対称であり、第２断面形状は、上下非対称かつ左右非対称であり、好ましくは、第１断面形状と、第２断面形状とは、非相似形状であるために、収納部３１を握った手がすべりにくく容器３０の収納部３１を落としてしまう可能性が少なくなる。また、容器３０は、上記のような第１断面形状と、第２断面形状を有しているため、手にフィットし、自然な感じをユーザに与えることができる。
【００３７】
図７は、本考案の第２実施形態に係る容器４０を示す斜視図である。ここでは、容器４０として石鹸容器を用いて説明する。図７のように、容器４０は、収納部４１と蓋部４２とからで構成されている。収納部４１は、固体の石鹸を収容するものである。蓋部４２は、蓋の機能を有している。
【００３８】
実際に使用する場合、まず、容器４０の収納部４１に石鹸を詰めて収容してから、蓋部４２によって収納部４１に蓋をする。そして、石鹸を出すには、片方の手で容器４０の収納部４１を握り、もう一方の手で蓋部４２を収納部４１から取り外し、収納部４１から石鹸を取り出す。
【００３９】
図８は、容器４０の第１の位置Ｄでの水平断面である第１断面形状を示す断面図である。図９は、容器４０の第２の位置Ｅでの水平断面である第２断面形状を示す断面図である。第１の位置Ｄ及び第２の位置Ｅは、石鹸を収容した状態では、それら断面内に固体である石鹸が含まれる範囲である。また、図８と図９に示されるように、第１断面形状及び第２断面形状は、歪みを有した円筒形状であり、第１断面形状と第２断面形状は、異なる形状の歪みを有している。
【００４０】
さらに、第１断面形状は、上下非対称かつ左右非対称であり、第２断面形状は、上下非対称かつ左右非対称である。
【００４１】
また、第１断面形状と、第２断面形状とは、非相似形状である。
【００４２】
上記のように、容器４０は、第１断面形状及び第２断面形状が、歪みを有した円筒形状であり、第１断面形状と第２断面形状が、異なる形状の歪みを有しているので、歪曲な面を有した立体形状となっている。
【００４３】
さらに、容器４０は、石鹸等の人間の肌に対して使用される固体を収容するものである。
【００４４】
図１０は、蓋部４２における位置Ｆでの蓋部断面を示す断面図である。また、第１の位置Ｄの断面や第２の位置Ｅの断面のような収納部４１における収納部断面及び位置Ｆでの蓋部断面は、水平方向の断面が上下非対称かつ左右非対称であり、蓋部４２は、ユーザによって収納部４１から分離可能である。
【００４５】
容器４０の収納部と蓋部は、収納部４１と蓋部４２を成形するための金型を工夫することにより製造することができる。
【００４６】
容器４０から石鹸を出すには、まず、片方の手で容器４０の収納部４１を握り、もう一方の手で蓋部４２を収納部４１から取り外す。このとき、第１の位置Ｄの断面や第２の位置Ｅの断面のような収納部４１における収納部断面及び蓋部断面は、水平方向の断面が上下非対称かつ左右非対称であるので、蓋部４２を取るときに、手がすべりにくく、容易に蓋部４２を収納部４１から取り外すことができる。
【００４７】
また、収納部４１を手で握り、容器４０から石鹸を取り出すときに、第１断面形状及び第２断面形状は歪みを有した円筒形状であり、第１断面形状と第２断面形状は、異なる形状の歪みを有しており、好ましくは、第１断面形状は、上下非対称かつ左右非対称であり、第２断面形状は、上下非対称かつ左右非対称であり、好ましくは、第１断面形状と、第２断面形状とは、非相似形状であるために、収納部４１を握った手がすべりにくく容器４０の収納部４１を落としてしまう可能性が少なくなる。また、容器４０は、上記のような第１断面形状と、第２断面形状を有しているため、手にフィットし、自然な感じをユーザに与えることができる。
【００４８】
以上の実施形態で説明された構成、形状、大きさおよび配置関係については本考案が理解・実施できる程度に概略的に示したものにすぎず、また数値および各構成の組成（材質）等については例示にすぎない。従って本考案は、説明された実施形態に限定されるものではなく、特許請求の範囲に示される技術的思想の範囲を逸脱しない限り様々な形態に変更することができる。
【産業上の利用可能性】
【００４９】
本考案の容器は、美容液、クレンジング、化粧水等の液体、石鹸等の固体を収容する容器として利用することができる。
【符号の説明】
【００５０】
１０      容器
１１      収納部
１２      蓋部
２０      容器
３０      容器
４０      容器
４１      収納部
４２      蓋部
Ａ        第１の位置
Ｂ        第２の位置
Ｃ        蓋部の位置
Ｄ        第１の位置
Ｅ        第２の位置
Ｆ        蓋部の位置
【図１】
0003193276.tif 000003
【図２】
0003193276.tif 000004
【図３】
0003193276.tif 000005
【図４】
0003193276.tif 000006
【図５】
0003193276.tif 000007
【図６】
0003193276.tif 000008
【図７】
0003193276.tif 000009
【図８】
0003193276.tif 000010
【図９】
0003193276.tif 000011
【図１０】
0003193276.tif 000012